(57)【要約】【課題】案内手段の部品点数を抑制しても、記録媒体を確実に機器本体に出し入れ可能とする情報処理装置を提供する。【解決手段】情報処理装置としてのＣＤプレーヤ１は機器本体３内に大径ＣＤ２ａと小径ＣＤ２ｂとを出し入れしてＣＤ２ａ，２ｂに記録された情報を読み出す。ＣＤプレーヤ１はＣＤ２ａ，２ｂの移動方向を案内するディスクセンタリング機構４を備えている。ディスクセンタリング機構４は一対のセンタリングアーム１１，１２とリンクレバー１３とコイルばね１４とを備えている。センタリングアーム１１，１２は機器本体３の回転自在に支持されている。リンクレバー１３がセンタリングアーム１１，１２を連動させて回転させる。コイルばね１４はセンタリングアーム１１，１２の突出ピン１７同士が近づく方向にリンクレバー１３を付勢している。【選択図】図３
2008047207.tif 000002
【特許請求の範囲】
【請求項１】
互いに大きさの異なる大型記録媒体と小型記録媒体とを機器本体内に出し入れして、これらの記録媒体に記録された情報を読み出す情報処理装置において、
前記大型記録媒体と小型記録媒体の移動方向を案内する案内手段を備え、
前記案内手段が、
機器本体に設けられた前記記録媒体を通す挿入口寄りの一端部が互いに接離自在となるように前記機器本体に回転自在に支持されたアーム本体と、前記アーム本体の一端部に設けられ前記大型記録媒体と小型記録媒体との双方と接触可能な突出ピンと、を有した一対のセンタリングアームと、
前記記録媒体の出し入れ方向に対して交差する方向に沿ってスライド自在に前記機器本体に支持され、かつ一方のセンタリングアームの前記アーム本体の回転中心よりも他端部寄りの箇所と、他方のセンタリングアームの前記アーム本体の回転中心よりも前記一端部寄りの箇所とを連結したリンクレバーと、
前記リンクレバーを、前記一対のセンタリングアームの突出ピン同士が近づく一の方向に付勢した付勢手段と、
を備えたことを特徴とする情報処理装置。
【請求項２】
前記小型記録媒体を出し入れする際に、該小型記録媒体を前記機器本体に出し入れ可能な範囲を超えて、前記センタリングアームの突出ピンが互いに離れることを規制し、かつ前記大型記録媒体を出し入れする際に、該大型記録媒体の前記機器本体への出し入れが可能な範囲まで前記センタリングアームの突出ピンが互いに離れることを許容する規制許容手段を更に備え、
前記規制許容手段は、前記リンクレバーの端部と前記一対のセンタリングアームとのうち一方から突出した凸部と、他方に設けられかつ前記凸部が侵入するとともに該凸部が移動することで前記センタリングアームを回転させるカム溝部と、を備えたことを特徴とする請求項１記載の情報処理装置。
【請求項３】
前記凸部が、前記リンクレバーの端部に設けられ、かつ、前記カム溝部が、前記センタリングアームに設けられているとともに、
前記規制許容部が、前記カム溝部の長手方向の略中央部でかつ前記リンクレバーの付勢方向の前方側の内縁から凹形状に設けられて、前記凸部が侵入可能な凹みを更に備え、
前記一対のセンタリングアームのうちの一方の突出ピンのみが他方の突出ピンから離れる方向に押されると、前記凹み内に前記凸部が侵入して、前記小型記録媒体を前記機器本体に出し入れ可能な範囲を超えて、前記センタリングアームの突出ピンが互いに離れることを規制することを特徴とする請求項２記載の情報処理装置。
【請求項４】
前記カム溝部と前記凹みが前記一対のセンタリングアームの双方に設けられているとともに、
前記一対のセンタリングアームの初期位置から前記凸部が前記凹み内に侵入するまでの回転角度が互いに異なることを特徴とする請求項３記載の情報処理装置。
【発明の詳細な説明】
【技術分野】
【０００１】
本発明は、例えば、Compact Discなどの記録媒体から情報を読み出す記媒体再生装置に関する。
【背景技術】
【０００２】
例えば、移動体としての自動車のインストルメントパネル（以下インパネと呼ぶ）には、情報処理装置としてのＣＤプレーヤ１００（図１に示し、特許文献１参照）が取り付けられる。ＣＤプレーヤ１００は、Compact Disc（以下ＣＤと呼ぶ）などの記録媒体が記録した情報を読み出す。
【０００３】
前記ＣＤプレーヤ１００は、図１に示すように、前記インパネに取り付けられる機器本体１０１と、前記機器本体１０１に開口した記録媒体挿入口と、搬送ユニットと、案内手段としてのディスクセンタリング機構１０２と、前記ＣＤに記録された情報を読み出すための再生ユニット等を備えている。機器本体１０１は、複数の板金などが互いに組み付けられて箱状のシャーシ１０３を備えている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体１０１内から排出する。搬送ユニットは、互いに接離自在に設けられた一対の挟持部材を備えている。
【０００５】
これら一対の挟持部材のうち一方は、モータなどの駆動源によって回転駆動される搬送ローラを備えている。搬送ローラは、前記モータなどの駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。
【０００６】
ディスクセンタリング機構１０２は、図１に示すように、係合孔１０４と、一対のセンタリングアーム１０５と、一対のリンクアーム１０６と、連結ピン１０７と、付勢手段としてのコイルばね１０８を備えている。ディスクセンタリング機構１０２は、前記記録媒体挿入口の近傍に配されている。係合孔１０４は、機器本体１０１のシャーシ１０３の底板１０３ａの中央に設けられ、記録媒体挿入口を通して機器本体１０１に出し入れされるＣＤの搬送方向に沿って直線状に延在している。係合孔１０４の中央部には、該係合孔１０４の両内縁から凹に形成されてあたかも係合孔１０４の幅を他の部分よりも広げた凹み１０４ａが設けられている。
【０００７】
一対のセンタリングアーム１０５は、機器本体１０１の幅方向に沿って互いに間隔をあけて配されている。一対のセンタリングアーム１０５は、記録媒体挿入口寄りの一端部が互いに近づいたり互いに離れたりするように、前記機器本体１０１のシャーシ１０３に回転自在に支持されたアーム本体１０９と、このアーム本体１０９の記録媒体挿入口寄りの一端部から突出した突出ピン１１０と、を備えている。
【０００８】
一対のリンクアーム１０６は、一端部がセンタリングアーム１０５のアーム本体１０９の他端部と回転自在に連結している。連結ピン１０７は、リンクアーム１０６の他端部同士を回転自在に連結しているとともに、前述した係合孔１０４内に侵入している。コイルばね１０８は、センタリングアーム１０５のアーム本体１０９の前記一端部即ち突出ピン１１０が互いに近づく方向に付勢している。
【０００９】
ディスクセンタリング機構１０２は、センタリングアーム１０５がリンクアーム１０６などによって、アーム本体１０９が互いに連動して機器本体１０１のシャーシ１０３に対し回転する。
【００１０】
再生ユニットは、前記ＣＤを回転するために回転テーブルと、前記ＣＤに記録された情報を読み出すための光ピックアップ等を備えている。再生ユニットは、前記ＣＤを前記再生位置に位置決め（クランプ）して、回転テーブルがＣＤを回転して、光ピックアップが前記ＣＤに記録された情報を読み出す。
【００１１】
前記ＣＤが記録媒体挿入口を通して機器本体１０１内に挿入されると、まず、ＣＤが突出ピン１１０に接触する。そして、ＣＤは、前記一対の挟持部材間に挟まれる。搬送ローラの回転によってＣＤが機器本体内に搬送されるのにしたがって、突出ピン１１０が互いに離れる方向にアーム本体１０９が徐々に回転する。一対のセンタリングアーム１０５の突出ピン１１０は、前記再生位置にＣＤを案内する。こうして、情報処理装置は、ＣＤを機器本体外から再生位置に搬送してきた。
【００１２】
そして、前記ＣＤは再生ユニットにクランプされて、該再生ユニットによって情報を取り出される。情報処理装置は、取り出された情報を音声として出力する。ＣＤを機器本体１０１外に搬出する際には、まず、回転テーブルの回転を止める。搬送ユニットの搬送ローラを先ほどとは逆方向に回転させて、ＣＤを記録媒体挿入口内に通して機器本体１０１内から機器本体１０１外に徐々に搬送する。
【００１３】
このとき、突出ピン１１０がＣＤに接触する。一対のセンタリングアーム１０５の突出ピン１１０は、ＣＤの排出にしたがって、互いに離れたり近づいたり（接離）する。そして、一対のセンタリングアーム１０５の突出ピン１１０は、前記ＣＤの排出方向を案内する。
【００１４】
前述したＣＤプレーヤ１００は、互いに外径の異なる複数種のＣＤに記録された情報を再生する。前述したセンタリングアーム１０５などを備えたＣＤプレーヤ１００では、比較的小径なＣＤが記録媒体挿入口の端寄りに挿入されると、一対のセンタリングアーム１０５のうち一方の突出ピン１１０にしか接触しないことがある。この場合、前述した連結ピン１０７が凹み１０４ａ内に侵入してセンタリングアーム１０５の回転が規制される。そして、センタリングアーム１０５の回転の規制によって突出ピン１１０が固定され、その突出ピン１１０に接触しながら挿入されることでＣＤは機器本体１０１の幅方向にセンタリングされる。
【００１５】
前述したＣＤプレーヤ１００では、比較的大径なＣＤが記録媒体挿入口内に挿入されると、一対のセンタリングアーム１０５の双方の突出ピン１１０に接触する。この場合、前述した連結ピン１０７が凹み１０４ａ内に侵入することなく、センタリングアーム１０５の回転が規制されない。そして、双方の突出ピン１１０に接触しながら挿入されることでＣＤは機器本体１０１の幅方向に対して安定した状態で挿入される。
【００１６】
このように、前述したディスクセンタリング機構１０２を備えた従来のＣＤプレーヤ１００は、比較的小径なＣＤを機器本体１０１に出し入れする際には連結ピン１０７が凹み１０４ａ内に侵入した状態を超えてセンタリングアーム１０５の突出ピン１１０同士が離れることを規制して、該比較的小径なＣＤを機器本体１０１に確実に出し入れ可能としている。また、従来のＣＤプレーヤ１００は、比較的大径なＣＤを機器本体１０１に出し入れする際には、連結ピン１０７が凹み１０４ａ内に侵入した状態を超えてセンタリングアーム１０５の突出ピン１１０同士が離れることを許容して、該比較的大径なＣＤを機器本体１０１に確実に出し入れ可能としている。
【特許文献１】特開２００２−３１３００７号公報
【発明の開示】
【発明が解決しようとする課題】
【００１７】
前述したＣＤプレーヤ１００のディスクセンタリング機構１０２は、一対のセンタリングアーム１０５と、一対のリンクアーム１０６と、一つの連結ピン１０７と、一つの付勢手段としてのコイルばね１０８などの部品が必要であって、部品点数が増加する傾向であった。このため、前述した従来のディスクセンタリング機構１０２では、その組み立てにかかる手間が増加して、所要工数が増加する傾向であった。また、突出ピン１１０が固定される位置、すなわち、センタリングアーム１０５の回転が規制される位置は、連結ピン１０７が凹み１０４ａ内に侵入する位置からリンクアーム１０６を介して決定されるため、夫々の部品の寸法誤差が累積することで突出ピン１１０が固定される位置にばらつきが生じる傾向であった。
【００１８】
したがって、本発明の目的は、例えば、案内手段の部品点数を抑制しても、記録媒体を確実に機器本体に出し入れ可能とする情報処理装置を提供することにある。
【課題を解決するための手段】
【００１９】
前記課題を解決し目的を達成するために、請求項１に記載の本発明の情報処理装置は、互いに大きさの異なる大型記録媒体と小型記録媒体とを機器本体内に出し入れして、これらの記録媒体に記録された情報を読み出す情報処理装置において、前記大型記録媒体と小型記録媒体の移動方向を案内する案内手段を備え、前記案内手段が、機器本体に設けられた前記記録媒体を通す挿入口寄りの一端部が互いに接離自在となるように前記機器本体に回転自在に支持されたアーム本体と、前記アーム本体の一端部に設けられ前記大型記録媒体と小型記録媒体との双方と接触可能な突出ピンと、を有した一対のセンタリングアームと、前記記録媒体の出し入れ方向に対して交差する方向に沿ってスライド自在に前記機器本体に支持され、かつ一方のセンタリングアームの前記アーム本体の回転中心よりも他端部寄りの箇所と、他方のセンタリングアームの前記アーム本体の回転中心よりも前記一端部寄りの箇所とを連結したリンクレバーと、前記リンクレバーを、前記一対のセンタリングアームの突出ピン同士が近づく一の方向に付勢した付勢手段と、を備えたことを特徴としている。
【発明を実施するための最良の形態】
【００２０】
以下、本発明の一実施形態にかかる情報処理装置を説明する。本発明の一実施形態にかかる情報処理装置は、一方のセンタリングアームの回転中心よりも他端部寄りの箇所と、他方のセンタリングアームの回転中心よりも一端部寄りの箇所とをリンクレバーで連結することで、一本のリンクレバーによって、一対のセンタリングアームを連動させて回転させることを可能として、案内手段の部品点数の削減を可能としている。
【００２１】
規制許容手段を更に設けて、該規制許容手段が、センタリングアームとリンクレバーとのうち一方から凸の凸部と他方に設けられたカム溝部とを備えていても良い。この場合、凸部と、該凸部が内側を移動するカム溝部とで、一対のセンタリングアームを連動させて回転できるので、センタリングアームとリンクレバーとの連結部分の部品点数の増加を防止できる。
【００２２】
規制許容手段に、一対のセンタリングアームのうちの一方の突出ピンが押された際に、凸部が侵入してセンタリングアームの回転を規制する凹みが、カム溝部の中央部の内縁に設けられても良い。この場合、カム溝部の内縁に凹みを設けるだけで、センタリングアームの回転を規制できるので、部品点数を増加させることなく、小型記録媒体を確実に案内できる。
【００２３】
一対のセンタリングアームの凸部がカム溝部の凹み内に侵入するまでの該センタリングアームの回転角度を互いに異ならせても良い。この場合、双方のセンタリングアームが同時に回転が規制されることを防止できるので、大型記録媒体を確実に出し入れすることができる。
【実施例】
【００２４】
以下、本発明の実施例にかかる情報処理装置の一例としてのＣＤプレーヤ１を、図２ないし図１１に基づいて説明する。図２及び図３などに示すＣＤプレーヤ１は、移動体としての自動車のインストルメントパネル（以下、インパネと呼ぶ）などに取り付けられて、外径が例えば１２ｃｍなどの比較的大径な大型記録媒体としての大径ＣＤ２ａと、外径が例えば８ｃｍなどの比較的小径な小型記録媒体としての小径ＣＤ２ｂとを使用者が選択して、後述する機器本体３内に収容する。大径ＣＤ２ａと小径ＣＤ２ｂとは、勿論、互いに大きさが異なる。
【００２５】
ＣＤプレーヤ１は、これらの互いに大きさ（外径）の異なるＣＤ２ａ，２ｂを機器本体３内の後述する再生位置に位置させて、これらのＣＤ２ａ，２ｂに記録された情報を取り出して（再生して）、音声として出力する。なお、ＣＤ２ａ，２ｂは、勿論、ディスク形に形成されており、特許請求の範囲に記載された記録媒体をなしているとともに、円板状のコンピュータなどの電子機器で情報を読み取り可能な記録媒体である。
【００２６】
ＣＤプレーヤ１は、図３などに示すように、機器本体３（図２などに示す）と、図示しない搬送手段としての搬送ユニットと、図示しないクランプ再生手段としてのクランプ再生ユニットと、図示しない連動機構と、案内手段としてのディスクセンタリング機構４と、図示しない制御手段としてのＣＰＵなどを備えている。なお、以下、ＣＤ２ａ，２ｂの表面と搬送ユニットのＣＤ２ａ，２ｂの搬送方向Ｋとの双方と平行な図１中の矢印ＹをＣＤプレーヤ１の奥行き方向と記し、ＣＤ２ａ，２ｂの表面と平行でかつ前記奥行き方向Ｙと直交する矢印ＸをＣＤプレーヤ１の幅方向と記し、ＣＤ２ａ，２ｂの表面と奥行き方向Ｙと幅方向Ｘの全てと直交する矢印ＺをＣＤプレーヤ１の厚み方向と記す。
【００２７】
機器本体３は、外側ケース５（図２に示す）と、シャーシ６（図３に示す）とを備えている。外側ケース５は、合成樹脂で構成され、かつ扁平な箱状に形成されている。外側ケース５は、ＣＤプレーヤ１の外殻をなしている。外側ケース５の前述したインパネに取り付けると乗員に相対する前面５ａ（図２に示す）には、ＣＤ２ａ，２ｂを出し入れ可能な挿入口７が一つのみ設けられている。なお、前面５ａは、外側ケース５即ちＣＤプレーヤ１がインパネに取り付けられると、該インパネの外側に露出する機器本体３の一つの面である。
【００２８】
挿入口７は、外側ケース５の外壁を貫通している。挿入口７は、内側にＣＤ２ａ，２ｂを通すことができる。挿入口７を通して、前記ＣＤ２ａ，２ｂは、外側ケース５則ち機器本体３内に収容されたり、該外側ケース５則ち機器本体３内から排出される。即ち、挿入口７は、機器本体３の内外を連通して、機器本体３にＣＤ２ａ，２ｂを出し入れ自在とする。
【００２９】
さらに、前述した前面５ａには、表示パネルとしての蛍光表示管８と、各種のスイッチ９とが設けられている。
【００３０】
蛍光表示管８は、前面５ａに露出して、使用者に対し各種の情報を表示する表示領域としての表示面を備えている。蛍光表示管８は、表示面に再生中のプログラム名等の情報を表示する。
【００３１】
各種のスイッチ９は、使用者が操作するための操作部を構成している。スイッチ９が使用者などに操作されることによって、例えば、クランプ再生ユニットが再生するＣＤ２ａ，２ｂのプログラムの選択や、これらのＣＤ２ａ，２ｂの出し入れなどが行われる。
【００３２】
シャーシ６は、外側ケース５内に収容されているとともに、該外側ケース５に固定されている。シャーシ６は、図３などに示すように、底板１０と、一対の側板と、天井板とを備えている。底板１０と、一対の側板と、天井板とは、それぞれ、板金などで構成されている。
【００３３】
底板１０は、外側ケース５の底壁の内面に重ねられている。一対の側板は、底板１０の幅方向の両縁から立設している。一対の側板は、互いに間隔をあけて平行に配置されている。天井板は、底板１０と間隔をあけて平行に配置されているとともに、一対の側板の双方に連なっている。
【００３４】
搬送ユニットは、ローラアームと、ディスクガイドと、を備えている。ローラアームには、モータなどの駆動源によって回転駆動される搬送ローラが取り付けられている。ローラアームとディスクガイドとは、互いに接離自在に設けられている。搬送ユニットは、ローラアームとディスクガイドとが互いに近づいて、これらの間にＣＤ２ａ，２ｂを挟み込んで、搬送ローラがモータに回転駆動されることで、ＣＤ２ａ，２ｂを機器本体３に出し入れする。搬送ユニットは、ＣＤ２ａ，２ｂの両表面と平行で、かつ挿入口７と後述する再生位置とを踏結んだ方向Ｋ（図３中に矢印で示し、特許請求の範囲に記載された出し入れ方向に相当し、以下、搬送方向と呼ぶ）に沿って、該ＣＤ２ａ，２ｂを搬送する。また、搬送ユニットは、クランプ再生ユニットがＣＤ２ａ，２ｂをクランプして該ＣＤ２ａ，２ｂの情報を読み取る際に、ローラアームとディスクガイドとが互いに離れて、クランプ再生ユニットの動作を妨げることがない。
【００３５】
クランプ再生ユニットは、互いに接離自在に設けられたキャリッジシャーシと、クランプアームとを備えている。キャリッジシャーシには、回転自在に支持された回転テーブルと光ピックアップ部とが取り付けられている。
【００３６】
クランプアームには、回転テーブルとの間にＣＤ２ａ，２ｂを挟んで、当該ＣＤ２ａ，２ｂをクランプするクランパが取り付けられている。なお、本明細書では、回転テーブルとクランパとの間に挟まれた際のＣＤ２ａ，２ｂの位置及び回転テーブルとクランパとの間に挟まれることが可能なＣＤ２ａ，２ｂの位置を再生位置とする。また、挿入口７と前記再生位置との間は、ＣＤ２ａ，２ｂの搬送経路をなしている。
【００３７】
前述したクランプ再生ユニットは、搬送ユニットによって機器本体３内に挿入されたＣＤ２ａ，２ｂをキャリッジシャーシとクランプアームとの間に挟んで、ＣＤ２ａ，２ｂを回転テーブルが回転させて、当該ＣＤ２ａ，２ｂの情報を光ピックアップ部が読み出して再生する。
【００３８】
連動機構は、ＣＤ２ａ，２ｂを搬送する際には、搬送ユニットのディスクガイドとローラアームの搬送ローラとを互いに近づけ、キャリッジシャーシとクランプアームとを互いに遠ざけておく。連動機構は、搬送ユニットによって再生位置にＣＤ２ａ，２ｂが位置付けられると、キャリッジシャーシとクランプアームとを互い近づけて回転テーブルとクランパとの間にＣＤ２ａ，２ｂを挟むとともに、搬送ユニットのディスクガイドとローラアームの搬送ローラとを互いに遠ざけて、これらのディスクガイドとローラアームの搬送ローラがＣＤ２ａ，２ｂに干渉することを規制する。このように、連動機構は、搬送ユニットとクランプ再生ユニットの動作を連動させる。
【００３９】
ディスクセンタリング機構４は、図３に示すように、一対のセンタリングアーム１１，１２と、一つのリンクレバー１３と、付勢手段としてのコイルばね１４と、規制許容手段としての規制許容部１５とを備えている。
【００４０】
一対のセンタリングアーム１１，１２は、それぞれ、挿入口７の近傍に配されている。一対のセンタリングアーム１１，１２は、幅方向Ｘ即ち挿入口７の長手方向に沿って、互いに間隔をあけて配置されている。
【００４１】
一対のセンタリングアーム１１，１２は、それぞれ、帯状のアーム本体１６と、突出ピン１７と、を備えている。一対のセンタリングアーム１１，１２それぞれのアーム本体１６は、挿入口７寄りの一端部１１ａ，１２ａが互いに近づいたり離れたり（接離）するように、回転自在にシャーシ６の底板１０に支持されている。
【００４２】
一対のセンタリングアーム１１，１２のうちの図３中に右側に位置する一方のセンタリングアーム１１のアーム本体１６は、その長手方向の中央部を中心として回転自在に設けられている。一対のセンタリングアーム１１，１２のうちの図３中に左側に位置する他方のセンタリングアーム１２のアーム本体１６は、機器本体３の奥側に位置する他端部１２ｂを中心として回転自在に設けられている。
【００４３】
前述した一対のセンタリングアーム１１，１２のアーム本体１６は、図２及び図３に示す長手方向が前記搬送方向Ｋに沿う初期位置と、この初期位置から一端部１１ａ，１２ａが互いに最も離れた図示しない解除位置とに亘って、変位可能に底板１０に回転自在に支持されている。
【００４４】
突出ピン１７は、アーム本体１６の一端部１１ａ，１２ａから天井板即ち挿入口７の内側に向かって突出している。突出ピン１７は、円柱状に形成されている。
【００４５】
リンクレバー１３は、直線状に伸びた帯板状に形成されている。リンクレバー１３は、その長手方向が幅方向Ｘと平行な状態で底板１０上に重ねられて、幅方向Ｘ即ち搬送方向Ｋに対して交差（図示例では直交）する方向に沿って、スライド自在に底板１０に支持されている。リンクレバー１３は、規制許容部１５によって、その一端部１３ａが前述した一方のセンタリングアーム１１のアーム本体１６の機器本体３の奥側の他端部１１ｂに連結し、他端部１３ｂが前述した他方のセンタリングアーム１２のアーム本体１６の長手方向の中央部に連結している。このように、リンクレバー１３は、規制許容部１５によって、一方のセンタリングアーム１１のアーム本体１６の回転中心よりも他端部１１ｂ寄りの箇所と、他方のセンタリングアーム１２のアーム本体１６の回転中心よりも一端部１２ａ寄りの箇所とを連結している。
【００４６】
前述した構成によって、リンクレバー１３は、幅方向Ｘに沿って底板１０に対してスライドすることで、一端部１１ａ，１２ａが互いに離れるように、及び、一端部１１ａ，１２ａが互いに近づくように、一対のセンタリングアーム１１，１２のアーム本体１６を同期させて回転させる。こうして、リンクレバー１３は、一対のセンタリングアーム１１，１２のアーム本体１６を同期させて回転させて、一対のセンタリングアーム１１，１２を前記初期位置と解除位置とに亘って変位させる。
【００４７】
コイルばね１４は、底板１０とリンクレバー１３とに掛け渡されて、一対のセンタリングアーム１１，１２のアーム本体１６の一端部１１ａ，１２ａ即ち突出ピン１７同士が近づく方向Ｉ（図３中に矢印で示し、特許請求の範囲の一の方向に相当する）に、リンクレバー１３を付勢している。このため、センタリングアーム１１，１２は、ＣＤ２ａ，２ｂを搬送していない状態では、前述した初期位置に位置付けられる。
【００４８】
規制許容部１５は、リンクレバー１３の両端部１３ａ，１３ｂからセンタリングアーム１１，１２のアーム本体１６に向かって突出した凸部１８と、一対のセンタリングアーム１１，１２それぞれのアーム本体１６のリンクレバー１３の連結箇所に設けられたカム溝部としてのカム孔１９と、カム孔１９それぞれの内縁に設けられた凹み２０と、を備えている。
【００４９】
凸部１８は、柱状に形成されて、図示例では、センタリングアーム１１，１２それぞれのアーム本体１６と一体に形成されている。
【００５０】
カム孔１９は、センタリングアーム１１，１２それぞれのアーム本体１６を貫通しているとともに、く字状に形成されている。カム孔１９は、一対のセンタリングアーム１１，１２の双方に設けられている。カム孔１９は、センタリングアーム１１，１２が前述した初期位置に位置付けられると、前述した搬送方向Ｋと略平行になる平行部２１と、該平行部２１に連なりかつ搬送方向Ｋに対して傾斜した傾斜部２２とを備えている。
【００５１】
一方のセンタリングアーム１１のカム孔１９では、平行部２１が傾斜部２２よりも機器本体３の奥側即ち挿入口７から離れた側に配置されている。一方のセンタリングアーム１１のカム孔１９では、傾斜部２２が平行部２１から離れるのにしたがって即ち挿入口７に近づくのにしたがって他方のセンタリングアーム１２に徐々に近づく方向に傾斜している。
【００５２】
他方のセンタリングアーム１２のカム孔１９では、平行部２１が傾斜部２２よりも挿入口７寄りに配置されている。他方のセンタリングアーム１２のカム孔１９では、傾斜部２２が平行部２１から離れるのにしたがって即ち機器本体３の奥側に向かうにしたがって一方のセンタリングアーム１１から徐々に離れる方向に傾斜している。
【００５３】
前述したカム孔１９内には、凸部１８が該カム孔１９の長手方向に沿って移動自在となっている。カム孔１９内を凸部１８が移動することで、規制許容部１５は、リンクレバー１３と協働して、一対のセンタリングアーム１１，１２を互いに連動させて回転させる。
【００５４】
なお、センタリングアーム１１，１２が初期位置に位置付けられると、凸部１８がカム孔１９の平行部２１の傾斜部２２から離れた側の端部に位置する。センタリングアーム１１，１２が、初期位置から回転するのに連動して、凸部１８がカム孔１９の傾斜部２２に向かって移動して、前述した解除位置で凸部１８がカム孔１９の傾斜部２２の平行部２１から離れた側の端部に位置付けられる。
【００５５】
凹み２０は、一対のセンタリングアーム１１，１２の双方に設けられている。凹み２０は、カム孔１９の平行部２１と傾斜部２２とが交差した交差点及び該交差点の近傍即ちカム孔１９の略中央部に配置されている。凹み２０は、カム孔１９の矢印Ｉの前方側に位置する一方の内縁に設けられ、該内縁から凹形状に設けられて、恰もカム孔１９の幅を他の部分よりも広くしている。凹み２０内には、凸部１８が侵入可能となっている。凹み２０内に凸部１８が侵入すると、センタリングアーム１１，１２のアーム本体１６の回転が規制される（回転できなくなる）。
【００５６】
一対のセンタリングアーム１１，１２のうちの一方に設けられたカム孔１９の凹み２０内に凸部１８が侵入したときの一対のセンタリングアーム１１，１２の突出ピン１７間の距離は、前述した小径ＣＤ２ｂの外径よりも大きく大径ＣＤ２ａの外径よりも小さい。このため、規制許容部１５は、小径ＣＤ２ｂを機器本体３に出し入れする際には、一対のセンタリングアーム１１，１２のうちの一方に設けられたカム孔１９の凹み２０内に凸部１８が侵入したときを超えて、一対のセンタリングアーム１１，１２の突出ピン１７同士が離れること即ち一対のセンタリングアーム１１，１２のアーム本体１６が回転することを規制する。
【００５７】
なお、一対のセンタリングアーム１１，１２のうちの一方に設けられたカム孔１９の凹み２０内に凸部１８が侵入したときの一対のセンタリングアーム１１，１２の突出ピン１７よりも小径ＣＤ２ｂが機器本体３の外側に位置付けられると、該小径ＣＤ２ｂを機器本体３の外部と再生位置とに亘って搬送することが困難となる。なお、一対のセンタリングアーム１１，１２のうちの一方に設けられたカム孔１９の凹み２０内に凸部１８が侵入したときの一対のセンタリングアーム１１，１２の突出ピン１７の位置は、小径ＣＤ２ｂを機器本体３に出し入れ可能な範囲の境界となっている。
【００５８】
このように、規制許容部１５は、小径ＣＤ２ｂを機器本体３に出し入れする際には、一対のセンタリングアーム１１，１２のうちの一方の突出ピン１７のみに該小径ＣＤ２ｂが接触して、該一方の突出ピン１７のみが小径ＣＤ２ｂから他方の突出ピン１７から離れる方向に押される。そして、規制許容部１５は、一対のセンタリングアーム１１，１２のうちの一方に設けられたカム孔１９の凹み２０内に凸部１８が侵入して、小径ＣＤ２ｂを機器本体３に出し入れ可能となる範囲を超えて、一対のセンタリングアーム１１，１２の突出ピン１７が互いに離れることを規制する。
【００５９】
また、一方のセンタリングアーム１１では、凹み２０は、カム孔１９の平行部２１と傾斜部２２との交差点に配置されている。他方のセンタリングアーム１２では、凹み２０は、カム孔１９の傾斜部２２の平行部２１寄りの端部即ち平行部２１と傾斜部２２との交差点の近傍でかつ傾斜部２２に配置されている。このため、一対のセンタリングアーム１１，１２を初期位置から解除位置に向かって回転させていくと、一方のセンタリングアーム１１に設けられたカム孔１９の凹み２０内に凸部１８が侵入した後、他方のセンタリングアーム１２に設けられたカム孔１９の凹み２０内に凸部１８が侵入する。このように、一対のセンタリングアーム１１，１２の初期位置から凸部１８が凹み２０内に侵入するまでの回転角度が、互いに異なる。
【００６０】
前述した構成のディスクセンタリング機構４は、センタリングアーム１１，１２が前述した初期位置に付勢され、かつ突出ピン１７にＣＤ２ａ，２ｂの外縁が当接することで、突出ピン１７に当接したＣＤ２ａ，２ｂをＣＤプレーヤ１の幅方向Ｘの中央に導き、挿入口７を通されて機器本体３に挿入されたＣＤ２ａ，２ｂを前述した再生位置に案内する。即ち、ディスクセンタリング機構４は、ＣＤ２ａ，２ｂの移動方向を案内する。
【００６１】
さらに、ディスクセンタリング機構４のセンタリングアーム１１，１２は、挿入口７を通して機器本体３に出し入れされるＣＤ２ａ，２ｂの外縁が突出ピン１７に当接することで、ＣＤ２ａ，２ｂを機器本体３に出し入れする際に、ＣＤ２ａ，２ｂの移動と連動して、シャーシ６の底板１０に対して回転する。則ち、センタリングアーム１１，１２は、ＣＤ２ａ，２ｂを機器本体３に出し入れする際に、ＣＤ２ａ，２ｂの移動と連動して、機器本体３に対して移動する。
【００６２】
ＣＰＵは、前述した搬送ユニットと、クランプ再生ユニットと、連動機構と、ディスクセンタリング機構４の一方のセンタリングアーム１１の回転角度を検出するスイッチやエンコーダなどのセンサとに接続して、これらの動作を制御して、ＣＤプレーヤ１全体の制御をつかさどる。ＣＰＵは、図４及び図５中に実線Ａで示す位置に一方のセンタリングアーム１１が位置付けられていると、ＣＤ２ａ，２ｂを機器本体３内に収容しているか、ＣＤ２ａ，２ｂが取り外された状態と判定する。ＣＰＵは、前述した実線Ａで示す位置から図４及び図５中に実線Ｂで示す位置に一方のセンタリングアーム１１が位置付けられると、ＣＤ２ａ，２ｂが機器本体３内に挿入されたと判定する。
【００６３】
ＣＰＵは、機器本体３内から小径ＣＤ２ｂを排出する際に、図４及び図５中に実線Ｃで示す位置に一方のセンタリングアーム１１が位置付けられると、搬送ユニットのモータを停止する。ＣＰＵは、機器本体３内から大径ＣＤ２ａを排出する際に、図４及び図５中に実線Ｆで示す位置に一方のセンタリングアーム１１が位置付けられると、搬送ユニットのモータを停止する。なお、ＣＰＵは、ＣＤ２ａ，２ｂが機器本体３内に挿入される際に、この実線Ｆで示す位置に一方のセンタリングアーム１１が位置付けられると、大径ＣＤ２ａが機器本体３内に挿入されたと判定し、この実線Ｆで示す位置に一方のセンタリングアーム１１が位置付けられないと、小径ＣＤ２ｂが機器本体３内に挿入されたと判定する。
【００６４】
なお、図４及び図５中に実線Ｄで示す位置は、一方のセンタリングアーム１１の突出ピン１７に当接した状態で小径ＣＤ２ｂが挿入される際に、該一方のセンタリングアーム１１の回転が規制される位置を示している。図４及び図５中に実線Ｅで示す位置は、他方のセンタリングアーム１２の突出ピン１７に当接した状態で小径ＣＤ２ｂが挿入される際に、一方のセンタリングアーム１１の回転が規制される位置を示している。
【００６５】
次に、前述した構成のＣＤプレーヤ１の作用（動作）について説明する。まず、ＣＤ２ａ，２ｂが機器本体３内に挿入されていない状態では、搬送ユニットのローラアームの搬送ローラとディスクガイドとが互いに近づき、クランプ再生ユニットのキャリッジシャーシとクランプアームとが互いに離れている。また、ディスクセンタリング機構４は、図３に示す初期位置に位置付けられている。
【００６６】
まず、ＣＤプレーヤ１の使用者が挿入口７内にＣＤ２ａ，２ｂを挿入する。すると、搬送ローラが回転して、前述した図示しないモータの駆動力によって回転された搬送ローラとディスクガイドとの間にＣＤ２ａ，２ｂが挟まれる。搬送ローラが回転しているため、ＣＤ２ａ，２ｂは、キャリッジシャーシとクランプアームとの間即ち再生位置に向かって搬送される。
【００６７】
図６に示すように、小径ＣＤ２ｂを一方のセンタリングアーム１１の突出ピン１７に当接させて挿入すると、該一方のセンタリングアーム１１の突出ピン１７が他方のセンタリングアーム１２の突出ピン１７から離れる方向に、該一対のセンタリングアーム１１，１２が回転する。すると、図７（ａ）に示すように、一方のセンタリングアーム１１に設けられたカム孔１９の凹み２０内に凸部１８が侵入して、該一方のセンタリングアーム１１の回転が規制される。
【００６８】
このとき、図７（ｂ）に示すように、他方のセンタリングアーム１２のカム孔１９の凹み２０には凸部１８が侵入していない。突出ピン１７間の距離が小径ＣＤ２ｂの外径よりも大きいので、該他方のセンタリングアーム１２の突出ピン１７は、小径ＣＤ２ｂが当接せずに、勿論小径ＣＤ２ｂから押されない。このため、一方のセンタリングアーム１１のカム孔１９の凹み２０内に凸部１８が侵入して、更に、突出ピン１７同士が離れる方向にセンタリングアーム１１，１２が回転することが規制される。こうして、小径ＣＤ２ｂは、回転が規制されている一方のセンタリングアーム１１の突出ピン１７に当接することによってＣＤプレーヤ１の幅方向Ｘの中央に導かれて再生位置まで搬送される即ち機器本体３内に収容される。
【００６９】
また、大径ＣＤ２ａを一方のセンタリングアーム１１の突出ピン１７に当接させて挿入すると、該一方のセンタリングアーム１１の突出ピン１７が他方のセンタリングアーム１２の突出ピン１７から離れる方向に、該一対のセンタリングアーム１１，１２が回転する。すると、図７（ａ）に示すように、一方のセンタリングアーム１１に設けられたカム孔１９の凹み２０内に凸部１８が侵入して、該一方のセンタリングアーム１１の回転が一旦規制される。
【００７０】
このとき、図７（ｂ）に示すように、他方のセンタリングアーム１２のカム孔１９の凹み２０には凸部１８が侵入していない。突出ピン１７間の距離が大径ＣＤ２ａの外径よりも小さいので、該他方のセンタリングアーム１２の突出ピン１７は、大径ＣＤ２ａが当接して、一方のセンタリングアーム１１の突出ピン１７から離れる方向に勿論大径ＣＤ２ａから押される。図８（ｂ）に示すように、凸部１８がカム孔１９内に位置するので、他方のセンタリングアーム１２の突出ピン１７が一方のセンタリングアーム１１の突出ピン１７から離れる方向に、該他方のセンタリングアーム１２が回転する。すると、図８（ａ）に示すように、一方のセンタリングアーム１１のカム孔１９の凹み２０から凸部１８が抜け出る方向に、該他方のセンタリングアーム１２がリンクレバー１３を引っ張る。そして、一方のセンタリングアーム１１の規制が解除される。
【００７１】
さらに、大径ＣＤ２ａを機器本体３に挿入していくと、図１０（ｂ）に示すように、他方のセンタリングアーム１２に設けられたカム孔１９の凹み２０内に凸部１８が侵入して、該他方のセンタリングアーム１２の回転が一旦規制される。
【００７２】
このとき、図１０（ａ）に示すように、一方のセンタリングアーム１１のカム孔１９の凹み２０には凸部１８が侵入していない。突出ピン１７間の距離が大径ＣＤ２ａの外径よりも小さいので、該一方のセンタリングアーム１１の突出ピン１７は、大径ＣＤ２ａが当接して、他方のセンタリングアーム１２の突出ピン１７から離れる方向に勿論大径ＣＤ２ａから押される。図１１（ａ）に示すように、凸部１８がカム孔１９内に位置するので、一方のセンタリングアーム１１の突出ピン１７が他方のセンタリングアーム１２の突出ピン１７から離れる方向に、該一方のセンタリングアーム１１が回転する。すると、図１１（ｂ）に示すように、他方のセンタリングアーム１２のカム孔１９の凹み２０から凸部１８が抜け出る方向に、該一方のセンタリングアーム１１がリンクレバー１３を押す。そして、他方のセンタリングアーム１２の規制が解除される。こうして、一対のセンタリングアーム１１，１２が解除位置まで回転して、大径ＣＤ２ａは、再生位置まで搬送される即ち機器本体３内に収容される。
【００７３】
また、図９に示すように、小径ＣＤ２ｂを他方のセンタリングアーム１２の突出ピン１７に当接させて挿入すると、該他方のセンタリングアーム１２の突出ピン１７が一方のセンタリングアーム１１の突出ピン１７から離れる方向に、該一対のセンタリングアーム１１，１２が回転する。すると、図７（ａ）に示すように、一方のセンタリングアーム１１に設けられたカム孔１９の凹み２０内に凸部１８が侵入して、該一方のセンタリングアーム１１の回転が一旦規制される。さらに、小径ＣＤ２ｂを挿入していくと、前述した大径ＣＤ２ａを挿入したときと同様に、一方のセンタリングアーム１１の回転の規制が解除される。
【００７４】
そして、図１０（ｂ）に示すように、他方のセンタリングアーム１２に設けられたカム孔１９の凹み２０内に凸部１８が侵入して、該他方のセンタリングアーム１２の回転が規制される。このとき、図１０（ａ）に示すように、一方のセンタリングアーム１１のカム孔１９の凹み２０には凸部１８が侵入していない。突出ピン１７間の距離が小径ＣＤ２ｂの外径よりも大きいので、該一方のセンタリングアーム１１の突出ピン１７は、小径ＣＤ２ｂが当接せずに、勿論小径ＣＤ２ｂから押されない。このため、他方のセンタリングアーム１２のカム孔１９の凹み２０内に凸部１８が侵入して、更に、突出ピン１７同士が離れる方向にセンタリングアーム１１，１２が回転することが規制される。こうして、小径ＣＤ２ｂは、回転が規制されている他方のセンタリングアーム１２の突出ピン１７に当接することによってＣＤプレーヤ１の幅方向Ｘの中央に導かれて再生位置まで搬送される即ち機器本体３内に収容される。
【００７５】
また、大径ＣＤ２ａを他方のセンタリングアーム１２の突出ピン１７に当接させて挿入すると、該他方のセンタリングアーム１２の突出ピン１７が一方のセンタリングアーム１１の突出ピン１７から離れる方向に、該一対のセンタリングアーム１１，１２が回転する。すると、図７（ａ）に示すように、一方のセンタリングアーム１１に設けられたカム孔１９の凹み２０内に凸部１８が侵入して、該一方のセンタリングアーム１１の回転が一旦規制される。さらに、大径ＣＤ２ａを挿入していくと、前述した一方のセンタリングアーム１１の突出ピン１７に当接させて大径ＣＤ２ａを挿入したときと同様に、一方のセンタリングアーム１１の回転の規制が解除される。
【００７６】
そして、図１０（ｂ）に示すように、他方のセンタリングアーム１２に設けられたカム孔１９の凹み２０内に凸部１８が侵入して、該他方のセンタリングアーム１２の回転が規制される。このとき、図１０（ａ）に示すように、一方のセンタリングアーム１１のカム孔１９の凹み２０には凸部１８が侵入していない。突出ピン１７間の距離が大径ＣＤ２ａの外径よりも小さいので、該一方のセンタリングアーム１１の突出ピン１７は、大径ＣＤ２ａが当接して、他方のセンタリングアーム１２の突出ピン１７から離れる方向に勿論大径ＣＤ２ａから押される。図１１（ａ）に示すように、凸部１８がカム孔１９内に位置するので、一方のセンタリングアーム１１の突出ピン１７が他方のセンタリングアーム１２の突出ピン１７から離れる方向に、該一方のセンタリングアーム１１が回転する。すると、図１１（ｂ）に示すように、他方のセンタリングアーム１２のカム孔１９の凹み２０から凸部１８が抜け出る方向に、該一方のセンタリングアーム１１がリンクレバー１３を押す。そして、他方のセンタリングアーム１２の規制が解除される。こうして、一対のセンタリングアーム１１，１２が解除位置まで回転して、大径ＣＤ２ａは、再生位置まで搬送される即ち機器本体３内に収容される。
【００７７】
こうして、規制許容部１５は、小径ＣＤ２ｂを出し入れする際に、該小径ＣＤ２ｂを機器本体３に出し入れ可能な範囲を超えて一対のセンタリングアーム１１，１２の突出ピン１７が互いに離れることを規制し、かつ大径ＣＤ２ａを出し入れする際に、該大径ＣＤ２ａの機器本体３への出し入れが可能な範囲まで一対のセンタリングアーム１１，１２の突出ピン１７が互いに離れることを許容する。
【００７８】
前述したＣＤ２ａ，２ｂが再生位置に位置付けられると、連動機構が、クランプ再生ユニットのキャリッジシャーシとクランプアームとを互いに近づけ、搬送ユニットのディスクガイドとローラアームの搬送ローラとを互いに離す。そして、クランプ再生ユニットは、クランパと回転テーブルとの間にＣＤ２ａ，２ｂを挟んで則ちクランプして、該ＣＤ２ａ，２ｂの情報を読み出して音声として出力する。
【００７９】
前記ＣＤプレーヤ１は、前述したＣＤ２ａ，２ｂの再生などが終了して、該ＣＤ２ａ，２ｂを機器本体３内から排出する際には、連動機構が搬送ユニットのディスクガイドとローラアームの搬送ローラとを互いに近づけ、クランプ再生ユニットのキャリッジシャーシとクランプアームとを互いに離す。そして、搬送ローラを回転駆動して、ＣＤ２ａ，２ｂを排出する。ＣＰＵは、ＣＤ２ａ，２ｂの挿入時に、該挿入されたＣＤ２ａ，２ｂを識別しているので、一方のセンタリングアーム１１が前述した実線Ｃ，Ｆのうちの一方に位置付けられると、搬送ローラを停止する。こうして、ＣＤ２ａ，２ｂを機器本体３内から排出する。
【００８０】
本実施例によれば、一方のセンタリングアーム１１の回転中心よりも他端部１１ｂ寄りの箇所と、他方のセンタリングアーム１２の回転中心よりも一端部１２ａ寄りの箇所とをリンクレバー１３で連結することで、一本のリンクレバー１３によって、一対のセンタリングアーム１１，１２を連動させて回転させることを可能としている。したがって、ディスクセンタリング機構４の部品点数の削減を可能とすることができる。よって、組み立てにかかる所要工数を減少させることができる。
【００８１】
さらに、ディスクセンタリング機構４が、更に規制許容部１５を備えて、該規制許容部１５が、センタリングアーム１１，１２とリンクレバー１３とのうちリンクレバー１３から凸の凸部１８とセンタリングアーム１１，１２に設けられたカム孔１９とを備えている。この場合、凸部１８と、該凸部１８が内側を移動するカム孔１９とで、一対のセンタリングアーム１１，１２を連動させて回転できるので、センタリングアーム１１，１２とリンクレバー１３との連結部分の部品点数の増加を防止できる。
【００８２】
規制許容部１５が、一対のセンタリングアーム１１，１２のうちの一方の突出ピン１７が押された際に、凸部１８が侵入してセンタリングアーム１１，１２の回転を規制する凹み２０をカム孔１９の中央部の内縁に設けている。この場合、カム孔１９の内縁に凹み２０を設けるだけで、センタリングアーム１１，１２の回転を規制できるので、部品点数を増加させることなく、小径ＣＤ２ｂを確実に案内できる。さらに、センタリングアーム１１，１２の回転を規制するための凹み２０と、ＣＤを案内する突出ピン１７とが同一の部品内に存在することにより、部品の寸法誤差が累積することを最小限に抑えて突出ピン１７を精度よく位置付けることができる。
【００８３】
凸部１８がカム孔１９の凹み２０内に侵入するまでの該センタリングアーム１１，１２の回転角度を互いに異ならせている。この場合、双方のセンタリングアーム１１，１２が同時に回転が規制されることを防止できるので、大径ＣＤ２ａを確実に出し入れすることができる。
【００８４】
前述した実施例では、リンクレバー１３に凸部１８を設け、センタリングアーム１１，１２にカム溝部としてのカム孔１９を設けている。しかしながら、本発明では、センタリングアーム１１，１２に凸部１８を設け、リンクレバー１３にカム溝部を設けても良い。この場合、凹み２０を、カム溝部の付勢手段としてのコイルばね１４がリンクレバー１３を付勢する方向の後方側の縁に設けるのが望ましい。また、前述したカム溝部としてのカム孔１９がセンタリングアーム１１，１２を貫通している。しかしながら、本発明では、カム溝部が、センタリングアーム１１，１２又はリンクレバー１３を貫通していなくても良い。即ち、カム溝部が、単なる凹部であっても良い。また、前述した実施例では、カム溝部としてのカム孔１９の平面形状をく字状に形成したが、本発明では、カム溝部の平面形状を如何なる形状にしても良い。
【００８５】
前述した実施例では、記録媒体として、ディスク形記録媒体としてのＣＤ２ａ，２ｂを示している。しかしながら、本発明では、例えば、記録媒体としてのＭＤ（Mini Disc）、ＤＶＤ（Digital VersatileDisc）などの他の記録媒体を用いても良い。また、本発明では、ディスク形に限らず種々の形状の記録媒体を用いても良い。
【００８６】
また、前述した実施例では、記録媒体から情報を読み出す（情報を再生する）ＣＤプレーヤ１を示している。しかしながら、本発明では、記録媒体から情報を読み出す情報処理装置に限ることなく、例えば、情報を記録媒体に記録する記録装置や、情報の再生及び記録を行う情報記録再生装置としても適用可能しても良い。
【００８７】
なお、前述した実施例は本発明の代表的な形態を示したに過ぎず、本発明は、実施例に限定されるものではない。即ち、本発明の骨子を逸脱しない範囲で種々変形して実施することができる。
【００８８】
前述した実施例によれば、以下のＣＤプレーヤ１が得られる。
【００８９】
（付記）  互いに大きさの異なる大径ＣＤ２ａと小径ＣＤ２ｂとを機器本体３内に出し入れして、これらのＣＤ２ａ，２ｂに記録された情報を読み出すＣＤプレーヤ１において、
前記大径ＣＤ２ａと小径ＣＤ２ｂの移動方向を案内するディスクセンタリング機構４を備え、
前記ディスクセンタリング機構４が、
機器本体３に設けられた前記ＣＤ２ａ，２ｂを通す挿入口７寄りの一端部１１ａ，１２ａが互いに接離自在となるように前記機器本体３に回転自在に支持されたアーム本体１６と、前記アーム本体１６の一端部１１ａ，１２ａに設けられ前記大径ＣＤ２ａと前記小径ＣＤ２ｂとの双方と接触可能な突出ピン１７と、を有した一対のセンタリングアーム１５と、
前記ＣＤ２ａ，２ｂの搬送方向Ｋに対して交差する方向に沿ってスライド自在に前記機器本体３に支持され、かつ一方のセンタリングアーム１１の前記アーム本体１６の回転中心よりも他端部１１ｂ寄りの箇所と、他方のセンタリングアーム１２の前記アーム本体１６の回転中心よりも前記一端部１２ａ寄りの箇所とを連結したリンクレバー１３と、
前記リンクレバー１３を、前記一対のセンタリングアーム１１，１２の突出ピン１７同士が近づく一の方向Ｉに付勢したコイルばね１４と、
を備えたことを特徴とするＣＤプレーヤ１。
【００９０】
付記に記載のＣＤプレーヤ１は、一方のセンタリングアーム１１の回転中心よりも他端部１１ｂ寄りの箇所と、他方のセンタリングアーム１２の回転中心よりも一端部１２ａ寄りの箇所とをリンクレバー１３で連結することで、一本のリンクレバー１３によって、一対のセンタリングアーム１１，１２を連動させて回転させることを可能としている。したがって、ディスクセンタリング機構４の部品点数の削減を可能とすることができる。
【図面の簡単な説明】
【００９１】
【図１】従来のＣＤプレーヤの案内機構などの構成を示す斜視図である。
【図２】本発明の一実施例にかかる情報処理装置としてのＣＤプレーヤの外観を示す斜視図である。
【図３】図１に示されたＣＤプレーヤのディスクセンタリング機構などの構成を示す斜視図である。
【図４】図３に示されたディスクセンタリング機構の一方のセンタリングアームなどを拡大して示す斜視図である。
【図５】図４に示された一方のセンタリングアームが回転した状態を拡大して示す斜視図である。
【図６】図３に示されたディスクセンタリング機構の一方のセンタリングアームの突出ピンにＣＤを当接させて挿入する状態を示す斜視図である。
【図７】（ａ）は図６中のＶＩＩａを拡大して示す平面図であり、（ｂ）は図６中のＶＩＩｂを拡大して示す平面図である。
【図８】（ａ）は図７（ａ）に示された一方のセンタリングアームの規制が解除された状態を拡大して示す平面図であり、（ｂ）は図７（ｂ）に示された他方のセンタリングアームが一方のセンタリングアームの規制を解除した状態を拡大して示す平面図である。
【図９】図３に示されたディスクセンタリング機構の他方のセンタリングアームの突出ピンにＣＤを当接させて挿入する状態を示す斜視図である。
【図１０】（ａ）は図９中のＸａを拡大して示す平面図であり、（ｂ）は図９中のＸｂを拡大して示す平面図である。
【図１１】（ａ）は図１０（ａ）に示された一方のセンタリングアームが他方のセンタリングアームの規制を解除した状態を拡大して示す平面図である。（ｂ）は図１０（ｂ）に示された他方のセンタリングアームの規制を解除された状態を拡大して示す平面図である。
【符号の説明】
【００９２】
１  ＣＤプレーヤ（情報処理装置）
２ａ  大径ＣＤ（大型記録媒体）
２ｂ  小径ＣＤ（小型記録媒体）
３  機器本体
４  ディスクセンタリング機構（案内手段）
７  挿入口
１１  一方のセンタリングアーム
１１ａ  一端部
１１ｂ  他端部
１２  他方のセンタリングアーム
１２ａ  一端部
１２ｂ  他端部
１３  リンクレバー
１３ａ  一端部
１３ｂ  他端部
１４  コイルばね（付勢手段）
１５  規制許容部（規制許容手段）
１６  アーム本体
１７  突出ピン
１８  凸部
１９  カム孔（カム溝部）
２０  凹み
Ｋ  搬送方向（出し入れ方向）
Ｉ  一の方向
【図１】
2008047207.tif 000003
【図２】
2008047207.tif 000004
【図３】
2008047207.tif 000005
【図４】
2008047207.tif 000006
【図５】
2008047207.tif 000007
【図６】
2008047207.tif 000008
【図７】
2008047207.tif 000009
【図８】
2008047207.tif 000010
【図９】
2008047207.tif 000011
【図１０】
2008047207.tif 000012
【図１１】
2008047207.tif 000013